(57)【特許請求の範囲】
【請求項１】
第１の面と第２の面と複数の信号伝送手段とを有するハウジングを備え、複数の信号伝送手段は第１の面から第２の面に向けて延び、前記ハウジングは前記第１の面と第２の面との間に設けられた長手方向に延びる複数の側面を有し、これら側面の少なくとも幾つかには導電性の外側シールド手段が重ね合わされ、幾つかの信号伝送手段同士の間には導電性の内側シールド手段が設けられており、
前記内側シールド手段は長手方向に延びる平行な複数の壁から成り、これらの壁はその間に長手方向に延びる複数の空間を形成し、これらの各空間内に信号伝送手段が位置決めされており、
前記信号伝送手段が複数の電気絶縁性フレームによって保持されており、
前記信号伝送手段は、フラットな形状を成し、互いに隣接する内側シールド手段同士の間に挿入されており、
前記電気絶縁性フレームのそれぞれをハウジングに固定するラッチ手段が設けられており、
長手方向に延びる平行な前記壁は横延在部を有し、各横延在部はこれらを前記外側シールド手段に係合させる係合手段を有しており、
前記横延在部は、前記外側シールド手段から突出する水平な小穴に係合するバーチカルラッチを有しており、
前記内側シールド手段のそれぞれは、これらをヘッダに接続するための手段を有している、
ことを特徴とする電気コネクタのためのレセプタクル。
【請求項２】
内側シールド手段をヘッダに接続する前記手段がバネ接続手段であることを特徴とする請求項１に記載のレセプタクル。
【発明の詳細な説明】
【０００１】
（発明の背景）
本発明は、電気コネクタに係わり、特にドウタープリント配線ボードをマザープリント配線ボードに接続するためのモジュラーコネクタに関する。
【０００２】
コンピュータや他の様々な電気アッセンブリの製造において、ドウターボードは、一般に、レセプタクルを有するコネクタを介して、マザーボードに接続される。前記レセプタクルはプラスチックハウジングと第１および第２の面とを有している。この場合、ターミナルの一端がドウターボードに接続され、ターミナルの他端がマザーボードに接続されるヘッダに接続される。このようなコネクタをマザーボードもしくはドウターボードに対して接地する様々な構成が提案されているが、そのような構成はコネクタの構造を複雑にする。したがって、マザーボードとドウターボードとの間でコネクタを接地する簡単で安価な手段が必要である。
【０００３】
（発明の要約）
本発明のレセプタクルは、第１の面と第２の面と複数の信号伝送手段とを有するハウジングを備えている。複数の信号伝送手段は第１の面から第２の面に向けて延びている。前記ハウジングは前記第１の面と第２の面との間に設けられた長手方向に延びる複数の側面を有している。これら側面の少なくとも幾つかには導電性の外側シールド手段が重ね合わされ、幾つかの信号伝送手段同士の間には導電性の内側シールド手段が設けられている。前記内側シールド手段は長手方向に延びる平行な複数の壁から成り、これらの壁はその間に長手方向に延びる複数の空間を形成し、これらの各空間内に信号伝送手段が位置決めされている。前記信号伝送手段が複数の電気絶縁性フレームによって保持されている。前記信号伝送手段は、フラットな形状を成し、互いに隣接する内側シールド手段同士の間に挿入されている。前記電気絶縁性フレームのそれぞれをハウジングに固定するラッチ手段が設けられている。長手方向に延びる平行な前記壁は横延在部を有し、各横延在部はこれらを前記外側シールド手段に係合させる係合手段を有している。前記横延在部は、前記外側シールド手段から突出する水平な小穴に係合するバーチカルラッチを有している。前記内側シールド手段のそれぞれは、これらをヘッダに接続するための手段を有している。
【０００５】
（好ましい実施例の詳細な説明）
特に図１および図２に示されるように、レセプタクル１０は電気絶縁性のフロントハウジング１４に第１の面１２を有している。また、レセプタクル１０はその底側に第２の面１６を有しており、第１の面１２から第２の面１６に向かって導電性の複数の信号ターミナル１８が延びている。第１の面１２は複数の開口２０を有している。これらの開口２０では、後述するように、ヘッダから延びるピンが信号ターミナル１８と係合する。従来と同様、レセプタクル１０は複数のグランドピン２２も有している。また、レセプタクル１０は、 長手方向に延びる横側面２４，２６と長手方向に延びる上側面２８とを有している。第１の面１２に対して反対側には端部３０が設けられている。横側面２４，２６と端部３０はＵ字型のシールド３２によってカバーされている。このシールド３２は、横側面２４，２６にそれぞれ重ね合わされる長手方向部３４，３６を有している。また、Ｕ字型のシールド３２の部位３８はレセプタクル１０の端部３０に重ね合わされている。電気絶縁性のハウジング１４の後方の上側面２８上には図示しないトップシールドが設けられている。
【０００６】
特に図１、図３、図６には、長手方向に沿って平行に延びる内側シールド壁４０，４２，４４，４６，４８が示されている。これらの内側シールド壁４０，４２，４４，４６，４８同士の間には、長手方向に延びる空間５０（図３参照）が形成されている。また、これらの内側シールド壁は横方向に延びる横延在部５２，５３（図３参照）を有している。また、これらの横延在部はそれぞれ縦方向に延びる一対のバーチカルラッチを有している。すなわち、横延在部５２には一対のバーチカルラッチ５４，５６が設けられ、横延在部５３には一対のバーチカルラッチ５８，６０が設けられている。これらのバーチカルラッチは、水平に延びる小穴６２，６４（図２および図６参照）と係合する。Ｕ字型のシールド３２の長手方向部３４の前側上縁部には、バネラッチ６６が設けられている。Ｕ字型のシールド３２の長手方向部３６の前側上部にも、バネラッチ６８が設けられている。同様に、内側シールド壁４０は前側にバネラッチ７０を有し、内側シールド壁４２はシールドラッチ７２を有し、内側シールド壁４４は前側にバネラッチ７４を有し、内側シールド壁４６は前側にシールドラッチ７６を有し、内側シールド壁４８は前側にバネラッチ７８を有している。
【０００７】
特に図４に示されるように、電気絶縁性のハウジング１４は両側にスロット８０，８２を有している。これらのスロット８０，８２はそれぞれバネラッチ６６，６８と係合される。また、これらのスロット８０，８２間には、内側シールド壁４０，４２，４４，４６，４８のバネラッチ７０，７２，７４，７６，７８とそれぞれ係合する中間スロット８４，８６，８８，９０，９２が設けられている。
【０００８】
特に図１、図４、図５に示されるように、複数の信号ターミナル１８が電気絶縁性のフレーム９４，９６，９８，１００，１０１，１０２内に収容されている。これらのフレーム９４，９６，９８，１００，１０１，１０２はそれぞれフレームラッチ１０３，１０４，１０６，１０８，１１０，１１２を有している。これらのフレームラッチ１０３，１０４，１０６，１０８，１１０，１１２はそれぞれ電気絶縁性のハウジング１４の開口１１４，１１６，１１８，１２０，１２２（図１および図４参照）と係合する。
特に図５、図７、図８に示されるように、電気絶縁性のフレーム９４は、信号ターミナル１８とは別個に、信号ターミナル１２４，１２６，１２８，１３０を保持している。これらの信号ターミナル１８，１２４，１２６，１２８，１３０はそれぞれ、上方に向かって延びた後、水平に延びている。また、これらの信号ターミナル１８，１２４，１２６，１２８，１３０は、その水平に延びたターミナル部分の端部に、スリットピン係合部１３２，１３４，１３６，１３８，１４０を有している。また、従来と同様に、レセプタクル１０は、一対のコードキーホルダ１４２，１４４と押圧ピン（press pin）１４６，１４８，１５０とを有している。
【０００９】
図１１には電気絶縁性のフレームが縦方向に２等分された状態が示されている。この２等分されたフレームには、その中心部に凹部が設けられているとともに、複数のコンタクト受け部１５１ａ〜１５１ｈが設けられている。
【００１０】
図１２に示されるように、レセプタクル１０はヘッダ１５２と係合する。ヘッダ１５２は一対の端壁１５４，１５６と中間壁とを有している。前記中間壁には、複数の導電ピン１６０が貫通して延びる開口が設けられている。これらの導電ピン１６０は、レセプタクル１０の第１の面１２と係合して信号ターミナル１８，１２４，１２６，１２８，１３０のスリットピン係合部１３２，１３４，１３６，１３８，１４０内に受けられるように、延びている。
【００１１】
本発明の第２の実施例が図１３〜図２０に示されている。特に図１３に示されるように、本実施例のレセプタクルは前面２１０と底面２１１とを有している。前面２１０には、プラグと接続する従来と同様の複数のピン受け開口２１２が設けられている。また、レセプタクルは、従来と同様、プレスアタッチメントペグ２１４と位置決めペグ（location peg）２１６，２１８とを有している。また、レセプタクルは、スペーサ２２０，２２２と極性整合キー（polarization alignment key）２２４，２２６とを有している。
【００１２】
図１４および図１５に示されるように、レセプタクルは、上面２２８と、後面２３０と、側面２３２，２３４とを有している。図示のように、上面２２８と後面２３０と底面２１１とには、側面２３２，２３４に対して平行に延び且つシールドを受けるスロット２３６，２３７が設けられている。シールド間には、長尺なコンタクト受けスロット２３８，２３９が設けられている。また、一対の溝２４０，２４２が、シールド受けスロット２３６，２３７に沿って且つ縦方向に互いに所定の間隔をもって、設けられている。
【００１３】
図１６〜図２０に示されるように、信号コンタクト２４４，２４６，２４８，２５０，２５２がレセプタクルの各コンタクト受けスロット２３８，２３９を貫通している。これらのコンタクト２４４，２４６，２４８，２５０，２５２の一端部はプリント回路基板２５４（図１６参照）に接続される（シールドの個々のセット間に位置するコンタクトは全て同一の全長をもって後方に延びているが、図１６に示されるように、コンタクトが異なる長さで延びてプリント回路基板上の異なる後方位置でプリント回路基板の係合部と係合するようになっていても良い）。コンタクト２４４，２４６，２４８，２５０，２５２の他端部には、ピン受け開口２１２でピンと係合するＶ字形状部２５６が設けられている。図１７Ａ、図１７Ｂ、図１９に示されるように、シールドは、レセプタクルの底面を貫通してＰＣＢに対して接地されるグランドピン２５８，２６０，２６２を有している。また、シールドはその下方に弾発性グランド部２６４を有している。この弾発性グランド２６４は、レセプタクルの下側のスロットを通じて下方に延び、その後、後方に向かって延びてシュラウドヘッダ（shrouded header）２６５に対して接地される（図１７Ｂ参照）。また、同様に、シールドは、その上方に弾発性グランド部２６６を有している。この弾発性グランド部２６６は、レセプタクルの上面２２８のスロットのうちの１つを貫通して図示しないヘッダに対して接地される。これらの弾発性グランド突起との係合に適したヘッダは、例えば、１９９６年１０月１０日に発行され且つ本出願の譲受人に与えられた国際特許出願ＷＯ９６／３１９２２に開示されている。
【００１４】
本発明の第３の実施例が図２０〜図２９に示されている。本実施例のレセプタクルは、前面４１０と底面４１１とを有している。前面４１０には、プラグと接続する従来と同様の複数のピン受け開口４１２が設けられている。また、レセプタクルは、従来と同様、プレスアタッチメントペグ４１４と位置決めペグ（location peg）４１６，４１８とを有している。
【００１５】
レセプタクルは、上面４２８と、後面４３０と、側面４３２，４３４とを有している。第２の実施例と同様、上面４２８と後面４３０と底面４１１とには、側面４３２，４３４に対して平行に延び且つシールドを受けるスロットが設けられている。シールド間には、長尺なコンタクト受けスロットが設けられている。また、一対の溝が、シールド受けスロットに沿って且つ縦方向に互いに所定の間隔をもって、設けられている。
【００１６】
図２５〜図２７に示されるように、シールドは、レセプタクルの底面を貫通してＰＣＢに対して接地されるグランドピン４５８を有している。また、シールドはその下方に弾発性グランド部４６４を有している。この弾発性グランド４６４は、レセプタクルの下側のスロットを通じて下方に延び、その後、後方に向かって延びてシュラウドヘッダ（shrouded header）に対して接地される。また、シールドは、主部４６３から垂直に延びる後端部４６１を有している。この後端部４６１はもう１つの弾発性グランド部４６５を下方に有している。また、シールドはその上方に弾発性グランド部４６６を有している。この弾発性グランド部４６６は、レセプタクルの上面４２８のスロットのうちの１つを貫通して図示しないヘッダに対して接地される。これらの弾発性グランド突起との係合に適したヘッダは、例えば、１９９６年１０月１０日に発行され且つ本出願の譲受人に与えられた国際特許出願ＷＯ９６／３１９２２に開示されている。
【００１７】
図２８および図２９にはフレームが示されている。図示のように、フレーム内では、コンタクト４６７が電気絶縁性部材４６９によって保持されている。コンタクト４６７は、電気絶縁性部材４６９と一体に形成されており、その一端部にターミナル４７１を有している。また、コンタクト４６７の他端部には、ピン受け開口４１２でピンと係合するＶ字形状部４５６が設けられている。また、電気絶縁性部材４６９は、コンタクトと外部シールドとの間でのグランド接続部として機能する装着凹部４７３を有している。
【００１８】
図３０〜図３５は本発明の第４の実施例を示している。本実施例のレセプタクル８１０は、ハウジング８１４の前側に第１の面８１２を有し、ハウジング８１４の底部側に第２の面８１６を有している。複数の導電性の信号ターミナル８１８が第１の面８１２から第２の面８１６に向けて延びている。第１の面８１２は複数の開口の列８２０ａ，８２０ｂ，８２０ｃ，８２０ｄ，８２０ｅを有している。後述するように、これらの開口では、ヘッダからのピンが信号ターミナル８１８と係合する。また、レセプタクル８１０は、長手方向に延びる横側面８２４，８２６と長手方向に延びる上側面８２８とを有している。また、レセプタクル８１０は端部８３０を有しており、直角を成す外側シールド８３２が端部８３０と上側面８２８とに重ね合わされている。横側面８２４は金属壁８３４によって形成されている。図３５には、複数の内側シールド壁８３８，８４０，８４２，８４４，８４６，８４８が示されている。これらの内側シールド壁８３８，８４０，８４２，８４４，８４６，８４８のそれぞれに隣接して、長手方向に延びるエアースペース８５０ａ，８５０ｂ，８５０ｃ，８５０ｄ，８５０ｅが設けられている。導電シールドは、上側コンタクトラッチ８５２ａ，８５２ｂ，８５２ｃ，８５２ｄ，８５２ｅ，８５２ｆを有している。また、同様に、導電シールドは、下側コンタクトラッチ８５４ａ，８５４ｂ，８５４ｃ，８５４ｄ，８５４ｅ，８５４ｆを有している（図３４参照）。外側シールド８３２には、バネラッチ８５２ａ〜８５２ｆを収容するための複数の上側スロット８５８ａ〜８５８ｆが設けられている。また、外側シールド８３２には、外側シールド８３２の直角位置への曲げを容易にするためのエッジスロット８５８ａ〜８５８ｃが設けられている。外側シールド８３２は、下側のバネラッチ８５４ａ〜８５４ｆを収容するためのボトムスロット８６０ａ〜８６０ｆを有している。
【００１９】
図３５に示されるように、導電シールド間には、電気絶縁フレーム８９４，８９６，８９８，９００，９０２，９０４が挿入されている。これらのフレームは、前述した実施例と同様の方法で、コンタクトを保持するために役立つ。例えば、ターミナル８１８に加えて、フレーム８９４が信号ターミナル９２４，９２６，９２８，９３０を保持する。これらの各ターミナルは、上方に向かって延びた後、水平に延びている。これらの各ターミナルはそれぞれ、水平に延びるその端部に、スリットピン係合部９３２，９３４，９３６，９３８，９４０を有している。また、レセプタクルは、直角延在部９４２，９４４を有する下側導電プレート９４１を備えている。下側プレート９４１は水平延在部９４６，９４７を有している。水平延在部９４６，９４７は、ハウジングから延びる凹部９４６，９４７を介して、対応するヘッダピンと係合する。また、ハウジングは、長手方向に延びる仕切り壁９４９ａ〜９４９ｅを有している。これらの仕切り壁９４９ａ〜９４９ｅ間には、コンタクト９５０ａ〜９５０ｅが設けられている。
【００２０】
図３６〜図３８には、レセプタクル８１０と係合するヘッダ９５２が示されている。このヘッダは、端部壁９５４，９５６と中間壁９５８とを有している。また、ヘッダは、信号ピン９６０ａ〜９６０ｅの列を有し、また、短いグランドピン９６２の列も有している。ピン９６０ａ〜９６０ｅの反対側にはターミナル９７２ａ〜９７２ｅが設けられ、ピン９６２の反対側にはターミナル９７４が設けられている。端部壁９５４内にはグランドコンタクト９７６，９７８が設けられている。
【００２１】
図３９〜図４１に示されるように、図３０に示されるレセプタクルに使用される好ましい電気絶縁フレームは、電気絶縁性部材９６９によって保持されたコンタクト９６７を有している。コンタクト９６７は電気絶縁性部材９６９と一体に形成されている。また、コンタクト９６７は、ターミナルを一端に有し、ピン受け開口でピンと係合するＶ字形状部１０５６を他端に有している。また、電気絶縁性部材９６９は、コンタクトと内側のシェルとの間でグランド接続として役立つ装着凹部９７５，９７７を有している。
【００２２】
以上説明してきたレセプタクルは、構造が簡単で安価であり、信号伝送導体と同様に、マザーボードとドウターボードとの間で効果的なシールドおよびグランド（接地）を提供する。
【００２３】
なお、本発明は、前記実施例に限定されず、その要旨を逸脱しない範囲で種々変形実施できることは言うまでもない。
【図面の簡単な説明】
【図１】  本発明のレセプタクルの一部カットされた斜視図である。
【図２】  図１のレセプタクルに使用される外側シールドの斜視図である。
【図３】  図１のレセプタクルに使用される内側シールドの斜視図である。
【図４】  図１のレセプタクルに使用される電気絶縁性ハウジングの斜視図である。
【図５】  図１のレセプタクルに使用される電気絶縁性フレームとこれに組み込まれたターミナルの斜視図である。
【図６】  内側シールドの１つと係合された外側シールドの斜視図である。
【図７】  ターミナルの配列を示すために一部カットされた図１のレセプタクルの側面図である。
【図８】  図１のレセプタクルの正面図である。
【図９】  図８の９−９線に沿う断面図である。
【図１０】  図８の１０−１０線に沿う断面図である。
【図１１】  電気絶縁性フレームの縦断面図である。
【図１２】  ヘッダと係合する図１のレセプタクルの縦断面図である。
【図１３】  本発明の第２の実施例に係るレセプタクルを正面から見た斜視図である。
【図１４】  図１３のレセプタクルを背面から見た斜視図である。
【図１５】  図１３のレセプタクルの背面図である。
【図１６】  プリント回路基板と係合しているレセプタクルを示す概略図である。
【図１７Ａ】  図１５の１７−１７線に沿う断面図である。
【図１７Ｂ】  ヘッダと係合しているレセプタクルを示す図１７Ａに対応する断面図である。
【図１８】  図１３のレセプタクルに使用されるシールドの側面図である。
【図１９】  図１３のレセプタクルに使用されるコンタクトの側面図である。
【図２０】  本発明の第３の実施例に係るレセプタクルの斜視図である。
【図２１】  図２０のレセプタクルの側面図である。
【図２２】  図２０のレセプタクルの正面図である。
【図２３】  図２０のレセプタクルの底面図である。
【図２４】  図２０のレセプタクルの後端面図である。
【図２５】  図２０のレセプタクルの内側シールドの側面図である。
【図２６】  図２５の内側シールドの背面図である。
【図２７】  図２５のシールドの上面図である。
【図２８】  図２０のレセプタクルに使用される導電性コンタクトとこれが組み込まれる電気絶縁性フレームの側面図である。
【図２９】  図２８のコンタクトと電気絶縁性フレームの端面図である。
【図３０】  本発明の第４の実施例に係るレセプタクルの背面図である。
【図３１】  図３０のレセプタクルの底面図である。
【図３２】  図３０の３２−３２線に沿う断面図である。
【図３３】  図３０のレセプタクルを底側から見た斜視図である。
【図３４】  図３０のレセプタクルを上側から見た斜視図である。
【図３５】  トップシールドが取り外された状態の図３０のレセプタクルの背面図である。
【図３６】  図３０のレセプタクルに接続されるヘッダの側面図である。
【図３７】  図３６のヘッダの上面図である。
【図３８】  図３６のヘッダの正面図である。
【図３９】  図３０のレセプタクルに使用される導電性コンタクトとこれが組み込まれる電気絶縁性フレームの側面図である。
【図４０】  図３９の導電性コンタクトとこれが組み込まれる電気絶縁性フレームの端面図である。
【図４１】  図４０の導電性コンタクトとこれが組み込まれる電気絶縁性フレームの上面図である。
【図１】
0004219088.tif 000002
【図２】
0004219088.tif 000003
【図３】
0004219088.tif 000004
【図４】
0004219088.tif 000005
【図５】
0004219088.tif 000006
【図６】
0004219088.tif 000007
【図７】
0004219088.tif 000008
【図８】
0004219088.tif 000009
【図９】
0004219088.tif 000010
【図１０】
0004219088.tif 000011
【図１１】
0004219088.tif 000012
【図１２】
0004219088.tif 000013
【図１３】
0004219088.tif 000014
【図１４】
0004219088.tif 000015
【図１５】
0004219088.tif 000016
【図１６】
0004219088.tif 000017
【図１７Ａ】
0004219088.tif 000018
【図１７Ｂ】
0004219088.tif 000019
【図１８】
0004219088.tif 000020
【図１９】
0004219088.tif 000021
【図２０】
0004219088.tif 000022
【図２１】
0004219088.tif 000023
【図２２】
0004219088.tif 000024
【図２３】
0004219088.tif 000025
【図２４】
0004219088.tif 000026
【図２５】
0004219088.tif 000027
【図２６】
0004219088.tif 000028
【図２７】
0004219088.tif 000029
【図２８】
0004219088.tif 000030
【図２９】
0004219088.tif 000031
【図３０】
0004219088.tif 000032
【図３１】
0004219088.tif 000033
【図３２】
0004219088.tif 000034
【図３３】
0004219088.tif 000035
【図３４】
0004219088.tif 000036
【図３５】
0004219088.tif 000037
【図３６】
0004219088.tif 000038
【図３７】
0004219088.tif 000039
【図３８】
0004219088.tif 000040
【図３９】
0004219088.tif 000041
【図４０】
0004219088.tif 000042
【図４１】
0004219088.tif 000043